(57)【要約】【課題】現像剤の耐久性を低下させることも、また、装置の大型化、複雑化、コストアップ等を招来することもなく、現像剤担持体の軸方向で均一な搬送量を確保できる現像装置及びそれを備えた画像形成装置を実現する。【解決手段】本発明の現像装置４は、回転スリーブ２２とで現像ロ−ラ１１を構成する、回転スリーブ２２内側に固定にて設けられた磁石部材２１を構成する磁石のうちの、ドクターブレード１０１と対向する位置に配された磁石のＳ１極又は回転スリーブ２２の表面に現像剤を引き寄せて担持する位置に配された磁石のＮ２極の少なくとも一方における軸方向の磁力分布に、ドクターブレード１０１を通過する現像剤の量を軸方向において均一とするための傾きが付与されている。【選択図】図１
2008281954.tif 000002
【特許請求の範囲】
【請求項１】
非回転に配設されると共に複数の磁石より構成された円柱状の磁石部材の外周に配された回転スリーブの表面に現像剤を担持して現像領域へと搬送し、その搬送量を回転スリーブに対し間隙を空けて先端が配されたブレード状の現像剤規制部材にて規制する現像装置において、
前記磁石部材を構成する磁石のうちの、現像剤規制部材と対向する位置に配された磁石、又は回転スリーブの表面に現像剤を引き寄せて担持する位置に配された磁石、の少なくとも一方の磁石における軸方向の磁力分布に、前記現像剤規制部材を通過する現像剤の量を軸方向において均一とするための傾きが付与されていることを特徴とする現像装置。
【請求項２】
磁石部材における現像剤規制部材と対向する位置に配された磁石に対し、軸方向の磁力分布に傾きが付与されており、現像剤の密度或いは現像剤の嵩が低い部分における磁力が、現像剤の密度或いは現像剤の嵩が高い部分の磁力よりも弱いことを特徴とする請求項１に記載の現像装置。
【請求項３】
前記回転スリーブの表面に現像剤を引き寄せて担持する位置に配された磁石に対し、軸方向の磁力分布に傾きが付与されており、現像剤の密度或いは現像剤の嵩が低い部分における磁力が、現像剤の密度或いは嵩が高い部分の磁力よりも強いことを特徴とする請求項１に記載の現像装置。
【請求項４】
現像剤を担持し、回転することで像担持体と対向した現像領域へ搬送する現像剤担持体であって、表面に現像剤を担持する回転スリーブ及び該回転スリーブ内に非回転に配設されると共に複数の磁石より構成された円柱状の磁石部材を備えた現像剤担持体と、
前記現像剤担持体に対し間隙を開けて先端が配されたブレード状の現像剤規制部材と、
前記現像剤担持体に平行に配され、前記現像剤担持体に現像剤を供給すると共に、現像剤を攪拌しながら軸方向に搬送する第１攪拌搬送部材と、
前記現像剤担持体に平行に配され、第１攪拌搬送部材に現像剤を供給すると共に、現像剤を攪拌しながら軸方向に搬送する第２攪拌搬送部材とを備え、
前記現像領域にて、現像剤担持体上の現像剤により像担持体上の静電潜像を現像する現像装置において、
前記磁石部材を構成する磁石の１つであって、前記現像剤規制部材と対向する位置に配された磁石は、軸方向の磁力分布に傾きを有しており、前記第１攪拌搬送部材が現像剤を搬送する方向の上流側端部の磁力が下流側端部の磁力よりも弱いことを特徴とする現像装置。
【請求項５】
さらに、前記磁石部材を構成する磁石の１つであって、回転スリーブの表面に現像剤を引き寄せて担持する位置に配された磁石は、軸方向の磁力分布に傾きを有しており、前記第１攪拌搬送部材が現像剤を搬送する方向の上流側端部の磁力が下流側端部の磁力よりも強いことを特徴とする請求項４に記載の現像装置。
【請求項６】
現像剤を担持し、回転することで像担持体と対向した現像領域へ搬送する現像剤担持体であって、表面に現像剤を担持する回転スリーブ及び該回転スリーブ内に非回転に配設されると共に複数の磁石より構成された円柱状の磁石部材を備えた現像剤担持体と、
前記現像剤担持体に対し間隙を開けて先端が配されたブレード状の現像剤規制部材と、
前記現像剤担持体に平行に配され、前記現像剤担持体に現像剤を供給すると共に、現像剤を攪拌しながら軸方向に搬送する第１攪拌搬送部材と、
前記現像剤担持体に平行に配され、第１攪拌搬送部材に現像剤を供給すると共に、現像剤を攪拌しながら軸方向に搬送する第２攪拌搬送部材とを備え、
前記現像領域にて、現像剤担持体上の現像剤により像担持体上の静電潜像を現像する現像装置において、
前記磁石部材を構成する磁石の１つであって、前記回転スリーブの表面に現像剤を引き寄せて担持する位置に配された磁石は、軸方向の磁力分布に傾きを有しており、前記第１攪拌搬送部材が現像剤を搬送する方向の上流側端部の磁力が下流側端部の磁力よりも強いことを特徴とする現像装置。
【請求項７】
前記現像剤規制部材が磁性部材を含んで構成されていることを特徴とする請求項１〜６の何れか１項に記載の現像装置。
【請求項８】
前記請求項１〜７の何れか１項に記載の現像装置を備えたことを特徴とする画像形成装置。
【発明の詳細な説明】
【技術分野】
【０００１】
本発明は、電子写真方式を用いる画像形成装置や、静電記録装置等に用いられる現像装置及び画像形成装置に関するものである。
【背景技術】
【０００２】
電子写真方式を用いる画像形成においては、一様な電位に帯電された感光体を画像情報に応じた光で露光して静電潜像を形成し、形成された静電潜像を現像装置によって現像して可視像化する。静電潜像を現像する方法としては、磁性１成分現像剤または非磁性１成分現像剤を用いる１成分現像方式と、トナーとキャリアとを含む２成分現像剤を用いる２成分現像方式とがある。
【０００３】
２成分現像方式は、キャリアと呼ばれる磁性粒子とトナーとを攪拌して互いに摩擦帯電させることによってキャリアの表面にトナーを担持させる。そして、表面にトナーを担持するキャリアによる穂立ちを、磁石部材を内包する現像ローラの表面に形成し、穂立ち中のトナーを現像ローラから電子写真感光体の静電潜像へ移行させて現像する。
【０００４】
このような２成分現像方式は、１成分現像方式に比べて装置が若干複雑になるが、トナーの電位設定が比較的容易であり、高速対応性および安定性に優れるので、多用されている。
【０００５】
ところで、２成分現像剤を用いた現像装置においては、現像領域に供給、搬送される現像剤の量（搬送量）は、現像スリーブの長手方向で均一な搬送量が保持される必要がある。これは、現像領域において、スリーブ上の搬送量が軸方向で異なると、現像された画像の反射濃度が、軸方向でばらつくためである。
【０００６】
現像スリーブの長手方向で均一な搬送量を保持するための先行技術として、特許文献１に開示されているものがある。この技術は、磁石を内包する現像スリーブに対向して磁石を内包する規制スリーブを設け、その対向部近傍に位置する現像スリーブの磁石を、磁極の長手方向両端で周方向に捩じった形状にして傾斜させて配置し、現像スリーブ上の現像剤に長手方向の搬送力を付与するものである。
【０００７】
上記技術では、現像スリーブ内の磁石と規制スリーブ内の磁石により形成される磁力分布を制御することにより、現像スリーブ上の現像剤を長手方向に搬送する力を生成して、現像剤の搬送量を、長手方向で均一することが記載されている。
【特許文献１】特開平１０−２３２５６１（１９９８年９月２日公開）
【発明の開示】
【発明が解決しようとする課題】
【０００８】
しかしながら、特許文献１に記載されている技術では、現像スリーブの長手方向で均一な搬送量を保持することはできても、現像剤の耐久性に課題を有すると共に、装置の大型化、複雑化、コストアップ等の課題がある。
【０００９】
即ち、上記技術では、従来の現像ローラの周方向の搬送力に加え、軸方向（長手方向）に搬送力を持たせている。そのため、現像剤には、従来なかった横方向のストレスが余分にかかってしまい、耐久性が低下する。
【００１０】
加えて、上記技術では、現像スリーブ表面と規制スリーブ表面が近接している規制領域において、現像スリーブと規制スリーブとは互いに逆方向に移動する。そのため、現像スリーブの表面に担持されて搬送される現像剤に対して、規制スリーブの磁石の磁力によりその進行方向と反対方向の拘束力が生じる。この拘束力も従来なかった余分なストレスとなり、耐久性が低下する。
【００１１】
さらに、上記技術では、規制部材が円筒状であり、かつその内部に磁石を備える構成であるため、装置の大型化、複雑化、コストアップ等は避けられない。
【００１２】
本発明は上記課題に鑑みなされたものであって、現像剤の耐久性を低下させることも、また、装置の大型化、複雑化、コストアップ等を招来することもなく、現像剤担持体の軸方向で均一な搬送量を確保できる現像装置及びそれを備えた画像形成装置を提供することを目的としている。
【課題を解決するための手段】
【００１３】
回転スリーブの表面に間隙を空けてブレード状の現像剤規制部材を配置し、回転スリーブ表面に担持されて現像領域へと搬送される現像剤の量を規制する構成が、従来からある。この構成においては、円筒状の規制スリーブを設けた場合のように、装置の大型化、複雑化、コストアップ等の問題はない。
【００１４】
しかしながら、単純に現像剤規制部材を通過させるだけでは、現像領域へと搬送される現像剤の量（搬送量）が軸方向においてばらつく問題がある。この問題を解決すべく、本願出願人が鋭意検討した結果、回転スリーブへと供給される現像剤の密度や嵩高さの軸方向のばらつきに起因し、このばらつきが現像剤規制部材を通過する現像剤の量の軸方向におけるばらつきとなり、ひいては現像領域への搬送量の軸方向のばらつきとなることがわかった。
【００１５】
そして、本願出願人は、現像剤に対して余分なストレスを与えてしまう、現像ローラの軸方向に搬送する手法以外の手法にて、このようなばらつきを是正することができないかどうかをさらに検討した。その結果、通常、軸方向において均一に設定されている、磁石部材における磁石の磁力分布に対し、傾きを付与することで、このようなばらつきを是正することができることを見出し、本願発明を行うに至った。
【００１６】
本発明の現像装置は、上記課題を解決するために、非回転に配設されると共に複数の磁石より構成された円柱状の磁石部材の外周に配された回転スリーブの表面に現像剤を担持して現像領域へと搬送し、その搬送量を回転スリーブに対し間隙を空けて先端が配されたブレード状の現像剤規制部材にて規制する現像装置において、前記磁石部材を構成する磁石のうちの、現像剤規制部材と対向する位置に配された磁石又は回転スリーブの表面に現像剤を引き寄せて担持する位置に配された磁石の少なくとも一方の磁石における軸方向の磁力分布に、前記現像剤規制部材を通過する現像剤の量を軸方向において均一とするための傾きが付与されていることを特徴としている。
【００１７】
本発明によれば、前記磁石部材を構成する磁石のうちの、現像剤規制部材と対向する位置に配された磁石又は現像剤を回転スリーブの表面に引き寄せて担持する位置に配された磁石の少なくとも一方の磁石における軸方向の磁力分布に、前記現像剤規制部材を通過する現像剤の量を軸方向において均一とするための傾きが付与されている。
【００１８】
磁石部材は、回転スリーブ表面に現像剤を吸着するものであり、特に、現像剤規制部材と対向する位置に配された磁石における磁力分布を軸方向に調整することで、現像剤規制部材にて通過を規制される現像剤の量を変えることができる。また、現像剤を回転スリーブの表面に引き寄せて担持する位置に配された磁石における磁力分布を軸方向に調整することで、回転スリーブ表面に引き寄せられて担持される現像剤の量を変えることができる。
【００１９】
したがって、上記構成により、回転スリーブへと供給され、担持されて搬送される現像剤の密度や嵩高さに軸方向におけるばらつきがあっても、現像剤規制部材に規制される現像剤の量又は回転スリーブ表面へ担持される現像剤の量を変えて、現像剤規制部材を通過する現像剤の量を軸方向において均一にすることができ、ひいては、現像領域へと搬送される現像剤の量を軸方向において均一にすることができる。
【００２０】
そして、このような構成では、現像剤の搬送方向は周方向のみであると共に、現像剤規制部材はブレード状であるので、上記した特許文献１の構成に比して、現像剤担持体表面に担持されて搬送される現像剤に与えるストレスを軽減でき、耐久性を向上できる。加えて、装置の大型化、複雑化、コストアップ等も回避できる。
【００２１】
この場合、例えば、磁石部材における現像剤規制部材と対向する位置に配された磁石に対し、軸方向の磁力分布に傾きが付与されており、現像剤の密度或いは現像剤の嵩が低い部分における磁力が、現像剤の密度或いは現像剤の嵩が高い部分の磁力よりも弱い構成とすることができる。
【００２２】
現像剤規制部材に規制される現像剤の量は、現像剤規制部材と対向する位置に配された磁石の磁力に応じて変化し、磁力が弱い部分では少なくなり、より多くの現像剤が現像剤規制部材を通過する。逆に、磁力が強い部分では規制される現像剤の量も多くなり、現像剤規制部材を通過する現像剤の量は少なくなる。
【００２３】
したがって、回転スリーブの表面に担持される現像剤の密度或いは嵩の低い部分の磁力を弱くし、その部分において、規制される現像剤量を減らすことで、結果的に、現像剤規制部材を通過する現像剤の量を軸方向において均一にすることができる。
【００２４】
また、回転スリーブの表面に現像剤を引き寄せて担持する位置に配された磁石に対し、軸方向の磁力分布に傾きが付与されており、現像剤の密度或いは現像剤の嵩が低い部分における磁力が、現像剤の密度或いは嵩が高い部分の磁力よりも強い構成とすることもできる。
【００２５】
回転スリーブの表面に担持されて現像剤規制部材の配置位置へと搬送される現像剤の量は、現像剤を回転スリーブの表面に引き寄せて担持する位置に配された磁石の磁力に応じて変化し、磁力が弱い部分では搬送される現像剤量も少なくなり、逆に、磁力が強い部分では現像剤量も多くなる。
【００２６】
したがって、回転スリーブの表面に担持される現像剤の密度や嵩の低い部分の磁力を強くして、その部分において、より多くの現像剤を回転スリーブ表面に担持して現像剤規制部材の配置位置へと搬送することで、結果的に、現像剤規制部材を通過する現像剤の量を軸方向において均一にすることができる。
【００２７】
また、本発明の別の現像装置は、上記課題を解決するために、現像剤を担持し、回転することで像担持体と対向した現像領域へ搬送する現像剤担持体であって、表面に現像剤を担持する回転スリーブ及び該回転スリーブ内に非回転に配設されると共に複数の磁石より構成された円柱状の磁石部材を備えた現像剤担持体と、前記現像剤担持体に対し間隙を開けて先端が配されたブレード状の現像剤規制部材と、前記現像剤担持体に平行に配され、前記現像剤担持体に現像剤を供給すると共に、現像剤を攪拌しながら軸方向に搬送する第１攪拌搬送部材と、前記現像剤担持体に平行に配され、第１攪拌搬送部材に現像剤を供給すると共に、現像剤を攪拌しながら軸方向に搬送する第２攪拌搬送部材とを備え、前記現像領域にて、現像剤担持体上の現像剤により像担持体上の静電潜像を現像する現像装置において、前記磁石部材を構成する磁石の１つであって、前記現像剤規制部材と対向する位置に配された磁石は、軸方向の磁力分布に傾きを有しており、前記第１攪拌搬送部材が現像剤を搬送する方向の上流側端部の磁力が下流側端部の磁力よりも弱いことを特徴としている。
【００２８】
現像剤担持体に平行に配された第１及び第２の２本の攪拌搬送部材にて、現像剤を攪拌しながら軸方向に搬送して循環させる現像装置においては、現像剤担持体へと現像剤を供給する第１攪拌搬送部材の現像剤の送り方向上流側において、現像剤の密度及び嵩が低くなり、同方向下流側において現像剤の密度及び嵩が高くなる。
【００２９】
したがって、上記構成のように、磁石部材を構成する磁石の１つであって、現像剤規制部材と対向する位置に配された磁石が、軸方向の磁力分布に傾きを持ち、第１攪拌搬送部材が現像剤を搬送する方向の上流側端部の磁力が下流側端部の磁力よりも弱い構成とすることで、既に説明したように、回転スリーブ表面に担持される現像剤に密度や嵩に違いがあったとしても、現像剤規制部材にて規制される現像剤の量を、密度或いは嵩の低い部分で密度或いは嵩の高い部分よりも少なくして、結果的に、現像剤規制部材を通過する現像剤量を軸方向において均一に近づけることができる。
【００３０】
また、本発明のさらに別の現像装置は、上記課題を解決するために、現像剤を担持し、回転することで像担持体と対向した現像領域へ搬送する現像剤担持体であって、表面に現像剤を担持する回転スリーブ及び該回転スリーブ内に非回転に配設されると共に複数の磁石より構成された円柱状の磁石部材を備えた現像剤担持体と、前記現像剤担持体に対し間隙を開けて先端が配されたブレード状の現像剤規制部材と、前記現像剤担持体に平行に配され、前記現像剤担持体に現像剤を供給すると共に、現像剤を攪拌しながら軸方向に搬送する第１攪拌搬送部材と、前記現像剤担持体に平行に配され、第１攪拌搬送部材に現像剤を供給すると共に、現像剤を攪拌しながら軸方向に搬送する第２攪拌搬送部材とを備え、
前記現像領域にて、現像剤担持体上の現像剤により像担持体上の静電潜像を現像する現像装置において、前記磁石部材を構成する磁石の１つであって、前記回転スリーブの表面に現像剤を引き寄せて担持する位置に配された磁石は、軸方向の磁力分布に傾きを有しており、前記第１攪拌搬送部材が現像剤を搬送する方向の上流側端部の磁力が下流側端部の磁力よりも強いことを特徴としている。
【００３１】
前述したように、現像剤担持体に平行に配された第１及び第２の２本の攪拌搬送部材にて、現像剤を攪拌しながら軸方向に搬送して循環させる現像装置においては、現像剤担持体へと現像剤を供給する第１攪拌搬送部材の現像剤の送り方向上流側において、現像剤の密度が低く、同方向下流側において現像剤の密度が高くなる。
【００３２】
したがって、上記構成のように、磁石部材を構成する磁石の１つであって、回転スリーブの表面に現像剤を引き寄せて担持する位置に配された磁石が、軸方向の磁力分布に傾きを持ち、第１攪拌搬送部材が現像剤を搬送する方向の上流側端部の磁力が下流側端部の磁力よりも強い構成とすることで、既に説明したように、回転スリーブ表面に担持される現像剤に密度や嵩に違いがあったとしても、回転スリーブに引き寄せられて担持される量を、密度或いは嵩の低い部分で密度或いは嵩の高い部分よりも多くすることで、結果的に、現像剤規制部材を通過する現像剤量を軸方向において均一に近づけることができる。
【００３３】
また、現像剤規制部材と対向する位置に配された磁石と、現像剤規制部材が対向して配されている領域へ搬送する現像剤を回転スリーブの表面に吸い付ける位置に配された磁石との両方を、前述した構成としてもよい。
【００３４】
これによれば、現像剤規制部材にて規制される現像剤の量と、回転スリーブ表面に引き寄せられて担持される現像剤の量との両方を制御するので、現像剤規制部材を通過する現像剤量を、より一層軸方向において均一に近づけることができる。
【００３５】
また、本発明の上記した各現像装置においては、さらに、前記現像剤規制部材が磁性部材を含んで構成されていることが好ましい。
【００３６】
現像剤規制部材に、磁性部材を用いることで、非磁性部材のみの構成に比べて、現像剤の通過を規制する力が強くなって規制される現像剤量が増加する。そのため、現像剤規制部材の先端と、回転スリーブ表面（現像剤担持体表面）との距離を広げることができる。
【００３７】
さらに、磁性部材を用いることで、現像剤規制部材（先端）と回転スリーブとの離間距離の取り付けばらつきに対する余裕度を保つことができ、軸方向に対して上記離間距離の取り付けばらつきが出た場合でも搬送量の変化を極力抑えることができる。
【００３８】
さらに、本発明は、上記した本発明の現像装置を備えた画像形成装置も発明の範疇としており、これによれば、現像剤の耐久性を低下させることもなく、また、装置の大型化、複雑化、コストアップ等を招来することもなく、現像された画像の反射濃度が軸方向において均一な安定した画像を形成することができる。
【発明の効果】
【００３９】
本発明の現像装置は、以上のように、非回転に配設されると共に複数の磁石より構成された円柱状の磁石部材の外周に配された回転スリーブの表面に現像剤を担持して現像領域へと搬送し、その搬送量を回転スリーブに対し間隙を空けて先端が配されたブレード状の現像剤規制部材にて規制する現像装置において、前記磁石部材を構成する磁石のうちの、現像剤規制部材と対向する位置に配された磁石又は回転スリーブの表面に現像剤を引き寄せて担持する位置に配された磁石の少なくとも一方の磁石における軸方向の磁力分布に、前記現像剤規制部材を通過する現像剤の量を軸方向において均一とするための傾きが付与されている構成であり、本発明の画像形成装置は、このような本発明の現像装置を備えた構成である。
【００４０】
これにより、現像剤の耐久性を低下させることもなく、また、装置の大型化、複雑化、コストアップ等を招来することもなく、現像剤担持体の軸方向で均一な搬送量を確保できる現像装置及びそれを備えた画像形成装置を提供できるという効果を奏する。
【発明を実施するための最良の形態】
【００４１】
本発明の実施の一形態について図１ないし図１３に基づいて説明すると以下の通りである。
【００４２】
図２に、本発明の実施の一形態に係る画像形成装置の要部の一構成例を示す。図２において、参照符号１は、ドラム状の感光体（像担持体）である。感光体１は、アルミニウム等の金属ドラム１ａを其材として、その外周面上に有機光半導体（ＯＰＣ）やアモルファスシリコン（ａ−Ｓｉ）等の光導電層１ｂが薄膜状に形成されている。
【００４３】
感光体１の周囲には、帯電部材２、レーザやＬＥＤ（Ｌｉｇｈｔ  Ｅｍｉｔｔｉｎｇ  Ｄｉｏｄｅ）よりなる露光部材３、現像装置４、転写部材５、クリーニング部材６、除電部材（不図示）等が配されている。
【００４４】
上記帯電部材２としては、例えば、タングステンワイヤ等の帯電線と、金属製のシールド板と、グリット板とを備えたコロナ帯電器や、帯電ローラ、帯電ブラシ等を使用することができる。また、転写部材５としては、転写ローラの他、帯電ブラシやコロナ帯電器等を使用できる。クリーニング部材６としては、ブレード状のものや、ローラ状のものがある。
【００４５】
感光体１は、先ず、帯電部材２により一様に帯電され、次に画像情報に応じて露光部材３により感光体１上に光照射がなされ静電潜像が形成される。感光体１上に形成された静電潜像は、感光体１と現像装置４との間に形成される現像電界（現像装置４に備えられているバイアス電源は不図示）により現像装置４内の現像剤（トナー）が移動し、トナー像として可視化される。
【００４６】
このトナー像は、バイアス電源５ａが印加される転写部材５によって紙等記録媒体上に転写され、定着部材７により定着される。トナー像が転写された後、感光体１上に残留したトナーはクリーニング部材６によって除去され、再び帯電部材２により一様に帯電され、上記で述べたプロセスが繰り返される。
【００４７】
図１に、現像装置４の要部の一構成例を示す。なお、図１は、現像装置４を、長手方向（軸方向）の端部側より見た図面である。図１に示すように、現像装置４は、現像剤を担持する現像ローラ（現像剤担持体）１１と、現像剤を規制するためのドクターブレード（現像剤規制部材）１０１、現像剤を収容する現像槽１２と、現像槽１２の中で現像剤を攪拌搬送する攪拌搬送部材である第１攪拌搬送部材２８及び第２攪拌搬送部材２９と、現像槽１２内の現像剤量を検出するセンサ１４を備えている。
【００４８】
現像ローラ１１は、矢印１０２の方向に現像槽１２から露出している部分が下方向から上方向へ回転する汲み上げ現像方式であり、感光体１と対向する部分において、感光体１と同一方向に移動する（つまり、回転方向は逆）。なお、本実施の形態では、汲み上げ現像方式を使用しているが、これに限定しなくても良い。
【００４９】
現像ローラ１１は、非回転に配設されると共に複数の磁石より構成された円柱状の磁石部材２１と、磁石部材２１の外周に回転自在に設けられた回転スリーブ２２とを備えた、いわゆるマグネットローラである。上記磁石部材２１は、たとえば複数の永久磁石から構成でき、複数の永久磁石が、円周方向にＮ極とＳ極とが略交互に配され、全体では円柱形状を成している。
【００５０】
図１に示す構成例では、磁石部材２１は、ドクターブレード１０１に対向する位置にあるＳ１極を構成する磁石と、現像剤を現像ローラ１１に汲み上げる位置にあるＮ２極を構成する磁石と、現像領域に位置するＮ１極を構成する磁石、その他、Ｎ３極、Ｓ２極を構成する磁石を有している。なお、各極の磁力（磁束密度）については後述する。ドクターブレード１０１に対向する位置にある磁石のＳ１極は、規制極とも称する。また、現像剤を現像ローラ１１に汲み上げる位置にある磁石のＮ２極は、汲み上げ極とも称する。
【００５１】
回転スリーブ２２は、たとえばアルミなどの非磁性材料からなる円筒形状の部材であり、磁石部材２１のまわりで回転自在に設けられている。
【００５２】
現像ローラ１１は、感光体１を臨み、その軸線が感光体１の回転軸線と平行になるように配され、現像槽１２のフレーム部（不図示）に支持されている。
【００５３】
現像ローラ１１に担持される現像剤としては、トナーとキャリアとを含む２成分現像剤が用いられる。現像剤としては、例えばトナー粒径が６．２μｍ、キャリア粒径が５０μｍのものを使用できるが、特に限定するものではない。
【００５４】
現像ローラ１１は、トナーを担持するキャリアを磁石部材２１の磁力で吸着し、回転スリーブ２２の表面に現像剤が穂立ち状に連なった磁気ブラシを形成する。このように、現像剤は、磁気ブラシの形で現像ローラ１１に担持される。磁気ブラシを形成する現像剤中の電荷を有するトナーが、現像ローラ１１と感光体１との電位差に応じて、現像ローラ１１から感光体１に供給されて静電潜像を現像し、トナー像を形成する。
【００５５】
ドクターブレード１０１は、磁性ブレード（磁性部材）１０３と非磁性ブレード（非磁性部材）１０５とからなる。非磁性ブレード１０５に対して、上流側に磁性ブレード１０３が設けられており、磁性ブレード１０３と非磁性ブレード１０５とは、例えば隙間１００μｍ以内で密着されている。
【００５６】
磁性ブレード１０３は、ニッケル成分の割合が１％以下のステンレスで、かつ透磁率が５００以下あれば、特に限定されることはなく、例えば、ＳＵＳ４０３、ＳＵＳ４１０、ＳＵＳ４１０Ｓ、ＳＵＳ４１６、ＳＵＳ４２０Ｊ１、ＳＵＳ４２０Ｆ、ＳＵＳ４１０Ｌ、ＳＵＳ４３０、ＳＵＳ４３０Ｆ、ＳＵＳ４３４などが用いられる。
【００５７】
また、非磁性ブレード１０５は、磁性を有しない金属であれば特に限定されることはなく、例えば、ＳＵＳ３０２、ＳＵＳ３０３、ＳＵＳ３０４、ＳＵＳ３０４Ｃｕ、ＳＵＳ３０４Ｌ、ＳＵＳ３０４Ｎ１、ＳＵＳ３０４Ｊ３、ＳＵＳ３０５、ＳＵＳ３０５Ｊ１、ＳＵＳ３０９Ｓ、ＳＵＳ３１０Ｓ、ＳＵＳ３１６、ＳＵＳ３１６Ｌ、ＳＵＳ３１６Ｎ、ＳＵＳ３１６Ｔｉ、ＳＵＳ３１６Ｊ１、ＳＵＳ３１６Ｆ、ＳＵＳ３１７、ＳＵＳ３１７Ｆ、ＳＵＳ３２１、ＳＵＳ３４７などのステンレス、アルミニウム、銅、などが用いられる。
【００５８】
また、磁性ブレード１０３と非磁性ブレード１０５とは、現像槽１２や、固定用板金（不図示）等にネジもしくはリベットを用いて固定される。ここでは、固定用板金等に固定ビスを用いて固定したが、特に限定するものではない。
【００５９】
上記ドクターブレード１０１は、現像ローラ１１表面と所定の間隔を開けて設置されている。この間隔をドクターギャップ（以下、ＤＧと記載）とする。本実施の形態の現像装置４では、ＤＧは例えば０．６ｍｍに設定されている。ＤＧの設定値は、現像剤の条件、現像ローラ１１の条件などにより適宜調整しても良い。
【００６０】
現像剤は、現像ローラ１１の下部に配されているＮ２極で汲み上げられ、汲み上げられた現像剤が、ＤＧを通過する際、現像ローラ１１の規制極であるＳ１極と、ドクターブレード１０１とによって、所定の搬送量に規制され、現像領域に一定の現像剤が搬送される。
【００６１】
図３に、図１に示した現像装置４の現像槽１２の内部構成を示す。なお、図３は、現像槽１２及びその内部に配設された現像ローラ１１等の配置を示す、現像槽１２内部を上方より見た図面である。
【００６２】
現像槽１２は、たとえば硬質の合成樹脂などからなり、図３に示すように、現像ローラ１１の軸線方向に形成される。現像槽１２は、現像ローラ１１の軸線方向の長さＬ１にほぼ対応する長さを有しており、内部は、現像槽１２の長手方向（現像ローラ１１の軸線方向に同じ）に平行に、仕切壁部材２５にて２槽に仕切られている。
【００６３】
２槽のうちの一方は、現像剤を攪拌搬送して現像ローラ１１に供給する現像領域槽２３であり、他方は、補給されるトナーを現像剤と攪拌し、かつ搬送して現像領域槽２３へ供給するとともに、現像ローラ１１に供給された残部の現像剤の一部が回収される攪拌領域槽２４である。
【００６４】
ここで、仕切壁部材２５は、現像領域槽２３と攪拌領域槽２４とを仕切るものではあるが、現像領域槽２３と攪拌領域槽２４とをそれぞれ完全に封じきるように仕切るものではない。即ち、仕切壁部材２５における現像槽１２の長手方向の両側部の２箇所には、現像領域槽２３と攪拌領域槽２４とを連通させる第１通路２６及び第２通路２７が形成されている。
【００６５】
これにより、現像槽１２内に収容される現像剤は、その一部が現像領域槽２３から攪拌領域槽２４へ移動することが可能であり、また逆に攪拌領域槽２４から現像領域槽２３へ移動可能となる。
【００６６】
そして、現像槽１２内には、現像槽１２の長手方向に対して平行に、現像ローラ１１と、上記した現像剤を攪拌搬送する第１攪拌搬送部材２８と第２攪拌搬送部材２９とが回転自在に設けられている。詳細には、現像領域槽２３内に、現像ローラ１１と第１攪拌搬送部材２８とが設けられ、攪拌領域槽２４内に第２攪拌搬送部材２９が設けられている。
【００６７】
本実施の形態において、第１攪拌搬送部材２８及び第２攪拌搬送部材２９は、いわゆるスクリュー部材であり、回転動作することによって、現像槽１２内の現像剤を攪拌し、搬送する。
【００６８】
第１攪拌搬送部材２８は、現像剤を、現像領域槽２３内で現像ローラ１１の下近傍を矢印３５方向へ搬送する。この現像槽１２の端部Ａ付近からもう一端部Ｂへ向う現像剤の搬送方向を、便宜上、送り方向と呼ぶ。
【００６９】
第２攪拌搬送部材２９は、第１攪拌搬送部材２８が現像槽１２の端部Ｂ付近に搬送した現像剤を、第１通路２６で攪拌領域槽２４に移動し、矢印３６方向に搬送するとともに、仕切壁部材２５に沿って矢印３７方向へ搬送する。この現像槽１２の端部Ｂ付近から端部Ａ付近へ向う現像剤の搬送方向を、便宜上、帰り方向と呼ぶ。
【００７０】
現像剤は、端部Ａ付近で第２通路２７を通りぬけ矢印３８方向へと搬送され、再び第１攪拌搬送部材にて移動される。したがって、現像槽１２内では、第１及び第２の各攪拌搬送部材２８，２９と仕切壁部材２５とによって、前記送り方向３５から帰り方向３７に連なる、図３中、矢印３５，３６，３７，３８で示される現像剤の循環流が形成される。
【００７１】
センサ１４は、現像槽１２内の現像剤量を検出するものである。センサ１４としては、透磁率センサや、圧電検知式センサを用いることができる。これらのセンサによれば、現像剤量として、現像剤中のトナー量、換言すればキャリアとトナーとの配合比であるトナー濃度が検出される。
【００７２】
また、センサ１４は、図３に示すように、現像領域槽２３内で、現像剤の攪拌搬送方向下流側、すなわち現像槽１２の端部Ｂ付近の、図１に示すように、第１攪拌搬送部材２８を臨んで現像領域槽２３の壁材に装着されている。このような位置にセンサ１４を取り付けることによって、センサ１４は、現像ローラ１１でトナーを消費した直後の現像剤のトナー濃度を測定することができる。
【００７３】
現像装置４では、トナー濃度の検出出力に応じ、制御部（不図示）がトナーホッパ１０４を動作させて、攪拌領域槽２４へトナーを補給する。
【００７４】
このように、現像装置４では、現像された後の現像剤のトナー濃度を検出して適正使用トナー濃度になるように、現像剤のトナー濃度を高い精度で制御することが可能になる。なお、センサ１４の位置は、上記位置以外に設置しても、トナー濃度を適正に検地できればどこでも良い。
【００７５】
ここで、図１を用いて、トナーホッパ１０４から現像槽１２にトナーを補給する概要を説明する。トナーホッパ１０４は、たとえば硬質合成樹脂などからなる容器部材である。トナーホッパ１０４は、内部空間にトナーを収容し、制御部（不図示）からの動作指令に応じてトナー補給ローラ４９を駆動させて、現像槽１２に対してトナー５０を補給する。
【００７６】
トナー補給ローラ４９は、攪拌領域槽２４の直上であって、その外周がトナー補給口１０４ａに摺接しながら回転可能なように設けられる。トナー補給ローラ４９は、芯金のまわりに円筒状のたとえば発泡ウレタンなどの多孔性弾性部材が設けられたものである。トナーホッパ１０４内でトナー補給ローラ４９の多孔性弾性部材に保持されるトナーが、トナー補給口とトナー補給ローラ４９との摺擦でトナー補給ローラ４９から脱落し、現像槽１２へ補給される。
【００７７】
また、トナーホッパ１０４のトナー補給口１０４ａは、攪拌領域槽２４内の第２攪拌搬送部材２９の上方に、補給されるトナー５０が、第２攪拌搬送部材２９上に落下して補給されるように配されている。攪拌領域槽２４において、トナー５０が補給された現像剤は、前述の現像槽１２内の循環流（矢印３５〜３８で示す流れ）に従って、現像剤とともに攪拌される。
【００７８】
ところで、前述したように、このような攪拌搬送部材を２本有する構成の現像装置４においては、現像領域槽２３内に収容された現像剤に、第１攪拌搬送部材２８の軸方向に沿って、密度及び嵩のむらが生じる。より詳細には、現像槽１２の端部Ａ付近となる、送り方向３５上流側においては、現像剤の密度が低くなり嵩も低くなる。逆に、現像槽１２の端部Ｂ付近となる、送り方向下流側においては、現像剤の密度が高くなり嵩も高くなる。
【００７９】
現像ローラ１１に汲み上げられる現像剤がこのような状態であると、複数の磁石の各極の磁力が軸方向において均一に調整されている磁石部材２１では、前述したように、ドクターブレード１０１を通過する現像剤の量に軸方向におけるばらつきが発生し、ひいては、現像領域へと搬送される現像剤の量（搬送量）が軸方向においてばらつくこととなる。
【００８０】
本実施の形態の現像装置４においては、このような軸方向のばらつきをなくし、搬送量の均一化を図るために、ドクターブレード１０１に対向して配された規制極であるＳ１極、又は回転スリーブ２２の表面に現像剤を引き寄せて担持する位置に配された汲み上げ極であるＮ２極、或いはその両方の極における軸方向の磁力分布（磁束密度の分布）に、ドクターブレード１０１を通過する現像剤の量に軸方向において均一とするための傾きが付与されている。
【００８１】
具体的には、例えば図４に示すように、規制極であるＳ１極における軸方向の磁力分布に傾きが付与されており、第１攪拌搬送部材２８が現像剤を搬送する方向である送り方向３５上流側端部の磁力が下流側端部の磁力よりも弱く設定されている。換言すれば、現像剤の密度或いは現像剤の嵩が低い部分における磁力が、現像剤の密度或いは現像剤の嵩が高い部分の磁力よりも弱く設定される。
【００８２】
ドクターブレード１０１に規制される現像剤の量は、ドクターブレード１０１と対向する位置に配された規制極であるＳ１極の磁力に応じて変化する。Ｓ１極の磁力が弱い部分では少なくなり、より多くの現像剤がドクターブレード１０１を通過する一方、逆に、磁力が強い部分では規制される現像剤の量も多くなり、ドクターブレード１０１を通過する現像剤の量は少なくなる。
【００８３】
したがって、図４に示すように、回転スリーブ２２の表面に担持される現像剤の密度或いは嵩の低い部分の磁力を弱くし、その部分において、規制される現像剤量を減らすことで、結果的に、ドクターブレード１０１を通過する現像剤の量を軸方向において均一にすることができる。
【００８４】
或いは、図５に示すように、汲み上げ極であるＮ２極における軸方向の磁力分布に傾きが付与されており、第１攪拌搬送部材２８が現像剤を搬送する方向である送り方向３５上流側端部の磁力が下流側端部の磁力よりも強く設定されている構成としてもよい。換言すれば、これにおいては、現像剤の密度或いは現像剤の嵩が低い部分における磁力が、現像剤の密度或いは現像剤の嵩が高い部分の磁力よりも強く設定される。
【００８５】
回転スリーブ２２の表面に担持されてドクターブレード１０１の配置位置へと搬送される現像剤の量、つまり、汲み上げ量は、現像剤を回転スリーブ２２の表面に引き寄せて担持する位置に配された汲み上げ極であるＮ２極の磁力に応じて変化する。Ｎ２極の磁力が弱い部分では汲み上げられて搬送される現像剤量も少なくなり、逆に、磁力が強い部分では汲み上げられて搬送される現像剤量も多くなる。
【００８６】
したがって、図５に示すように、回転スリーブ２２の表面に担持される現像剤の密度や嵩の低い部分の磁力を強くして、その部分において、より多くの現像剤を回転スリーブ２２表面に担持してドクターブレード１０１の配置位置へと搬送することで、結果的に、ドクターブレード１０１を通過する現像剤の量を軸方向において均一にすることができる。
【００８７】
そして、より好ましい構成は、図６に示すように、規制極であるＳ１極及び汲み上げ極であるＮ２極それぞれに対して軸方向の磁力分布に傾きが付与されており、Ｓ１極は、送り方向３５上流側端部の磁力が下流側端部の磁力よりも弱く設定される一方、Ｎ２極は、送り方向上流側端部の磁力が下流側端部の磁力よりも強く設定されている構成である。
【００８８】
これによれば、ドクターブレード１０１に規制される現像剤の量と、回転スリーブ２２表面へ担持される現像剤の量との両方を制御して、ドクターブレード１０１を通過する現像剤の量を軸方向において均一にすることができる。
【００８９】
各極の磁力強さを調整する手段としては、磁石の厚み及び磁石幅の大小の選定、着磁の調整等の手段がありこれら手段を適宜選定できる。また軸方向に磁力分布を変化させるには、軸方向の磁石の厚み及び幅、着磁の調整を行うことで可能である。
【００９０】
なお、磁石部材２１の各を構成するＳ１極或いはＮ２極以外の他の極である、Ｎ１極、Ｎ３極、Ｓ２極については、軸方向において均一な磁力に設定されている。
【００９１】
以上のように、本実施の形態の現像装置４においては、回転スリーブ２２の表面に汲み上げられる現像剤において、軸方向に密度や嵩のばらつきがあったとしても、ドクターブレード１０１を通過する現像剤の量を軸方向において均一にすることができることでき、ひいては、現像領域へと搬送される現像剤の量を軸方向において均一にすることができる。
【００９２】
そして、このような構成では、現像剤の搬送方向は回転スリーブ２２における周方向のみであると共に、ドクターブレード１０１はブレード状であるので、前述した特許文献１の構成に比して、回転スリーブ２２の表面に担持されて搬送される現像剤に与えるストレスを軽減でき、耐久性を向上でき、また、装置の大型化、複雑化、コストアップ等も回避できる。
【００９３】
また、図１の現像装置４においては、現像装置４のドクターブレード１０１を、磁性ブレード（磁性部材）１０３と非磁性ブレード（非磁性部材）１０５とからなる構成としており、ドクターブレード１０１に磁性部材を用いている。
【００９４】
ドクターブレード１０１に磁性部材を用いることで、ドクターブレードを非磁性部材のみより構成した場合に比べて、現像剤の通過を規制する力が強くなって規制される現像剤量が増加する。
【００９５】
したがって、ドクターブレード１０１の先端と、回転スリーブ２２表面（現像剤担持体表面）との距離を広げることができる。
【００９６】
図８に、現像装置４において、ドクターブレード１０１として磁性部材を用いて構成した場合と、非磁性部材のみより構成した場合とで、搬送量とＤＧとの関係を示す。図中、△にて示すグラフが、磁性部材より構成されているブレードのもので、□にて示すグラフが、非磁性部材のみより構成されているブレードのものである。
【００９７】
例えば、搬送量を６０ｍｇ/ｃｍ２に設定したい場合、非磁性部材のみより構成されているブレードでは、ＤＧは０．４ｍｍとなる。これに対し、磁性部材より構成されているブレードでは、０．６ｍｍにでき、ＤＧの設定値を広く取ることができる。
【００９８】
また、図８のグラフの傾きに注目すると、非磁性部材のみより構成されているブレードは、ＤＧの変化に対する搬送量の変化が大きいのに対して、磁性部材より構成されているブレードは小さい。つまり、磁性部材より構成されているブレードとすることで、ＤＧの取り付けばらつきに対する余裕度を保つことができ、軸方向に対してＤＧの取り付けばらつきが出た場合でも搬送量の変化を極力抑えることができる。
【００９９】
なお、ドクターブレード１０１に磁性部材を用いる構成は、必須ではなく、例えば図７に示す現像装置４’のように、非磁性ブレード１０５のみから構成されたドクターブレード１０１’としてもよい。図７は、現像装置４’の要部の別の構成例であり、図１と同様に、現像装置４’を、長手方向（軸方向）の端部側より見た図面である。
【０１００】
但し、上述したように、非磁性部材のみからなるドクターブレード１０１’を採用した現像装置４’においては、ドクターブレード１０１に磁性部材が用いられている現像装置４よりも、ＤＧを狭める必要があり、ドクターブレード１０１’の先端と、回転スリーブ２２表面（現像剤担持体表面）との距離は、例えば０．４ｍｍとなる。
【０１０１】
次に、本発明に係る実施例を例示して、本発明をより詳細に説明する。
【０１０２】
上記構成の現像装置４或いは現像装置４’を用いて、下記の各実施例及び比較例に示すように、現像ローラ１１の各極の磁力を軸方向に変化させて、現像領域に搬送される現像ローラ１１上の軸方向の搬送量を、現像ローラ１１の中央部Ｃと、現像ローラ１１の前記送り方向３５上流側の端部Ａ及び送り方向３５下流側の端部Ｂ付近にて測定した。上流側及び下流側の各端部Ａ，Ｂ付近としては、軸長３１０ｍｍの現像ローラ１１に対し、中央部Ｃから両端に向かって１４０ｍｍ離れた位置を測定した。
【０１０３】
搬送量の測定は、外部空転機を用いて、現像ローラを４００ｒｐｍで３分間回転させた後、単位面積当たりの現像剤の重さを測定した。
【０１０４】
また、上記構成の現像装置４或いは現像装置４’を、複写機（商品名：ＭＸ−７０００Ｎ、シャープ（株）社製）に搭載して、一定現像条件（帯電、現像、一定条件）下で全面ベタ画像を印字し、ベタ画像において、現像ローラ１１の中央部Ｃに対応する部分と、上流側及び下流側の各端部Ａ，Ｂ付近に対応する部分の濃度を測定した。この場合も、上流側及び下流側の各端部Ａ，Ｂ付近としては、中央部Ｃから両端に向かって１４０ｍｍ離れた位置を測定した。
【０１０５】
そして、濃度差が０．２以上を×、０．１以上０．２以下を△、０．１以下を○と評価した。濃度測定には、Ｘ−ＲＩＴＥ社製のＸ−ｒｉｔｅ９３９分光測色濃度計を用いた。
【０１０６】
ここで、磁石部材２１を構成する複数の磁石における外周側に位置する各極の磁力は、Ｎ１極：１２５ｍＴ、Ｓ１極：７８ｍＴ、Ｎ２極：５６ｍＴ、Ｎ３極：４２ｍＴ、Ｓ２極：８０ｍＴに調整した。そして、実施例１〜７では、このうちのＳ１極或いはＮ２極或いはその両方について、中央部Ｃの磁力を上記の値とし、軸方向に傾斜を持たせた。
【０１０７】
〔実施例１〕
磁性部材を用いたドクターブレード１０１を備えた現像装置４において、現像ローラ１１内の規制極であるＳ１極として、軸方向の磁力分布が、図９の△印に示すように、送り方向３５上流側の端部Ａ付近の磁力を７５ｍＴ、送り方向３５下流側の端部Ｂ付近の磁力を８１ｍＴとし、軸方向の端部Ａ−端部Ｂ間の磁力が、端部Ａから端部Ｂにいくに従って直線的に変化するように構成した磁石を用いた。ＤＧは、０．６ｍｍである。
【０１０８】
〔実施例２〕
磁性部材を用いたドクターブレード１０１を備えた現像装置４において、現像ローラ１１内の汲み上げ極であるＮ２極として、軸方向の磁力分布が、図１０の△印に示すように、送り方向３５上流側の端部Ａ付近の磁力を５８ｍＴ、送り方向３５下流側の端部Ｂ付近の磁力を５４ｍＴとし、軸方向の端部Ａ−端部Ｂ間の磁力が、端部Ａから下流側端部Ｂにいくに従って直線的に変化するように構成した磁石を用いた。ＤＧは、０．６ｍｍである。
【０１０９】
〔実施例３〕
磁性部材を用いたドクターブレード１０１を備えた現像装置４において、現像ローラ１１内の規制極であるＳ１極として、軸方向の磁力分布が、図９の△印に示すように、送り方向３５上流側の端部Ａ付近の磁力を７５ｍＴ、送り方向３５下流側の端部Ｂ付近の磁力を８１ｍＴとし、軸方向の端部Ａ−端部Ｂ間の磁力が、端部Ａから端部Ｂにいくに従って直線的に変化するように構成した磁石を用いた。
【０１１０】
また、現像ローラ１１内の汲み上げ極であるＮ２極としては、軸方向の磁力分布が、図１０の△印に示すように、送り方向３５上流側の端部Ａ付近の磁力を５８ｍＴ、送り方向３５下流側の端部Ｂ付近の磁力を５４ｍＴとし、軸方向の端部Ａ−端部Ｂ間の磁力が、端部Ａから下流側端部Ｂにいくに従って直線的に変化するように構成した磁石を用いた。ＤＧは、０．６ｍｍである。
【０１１１】
〔実施例４〕
非磁性部材のみから構成されたドクターブレード１０１’を備えた現像装置４’において、現像ローラ１１内の規制極であるＳ１極として、軸方向の磁力分布が、図９の△印に示すように、送り方向３５上流側の端部Ａ付近の磁力を７５ｍＴ、送り方向３５下流側の端部Ｂ付近の磁力を８１ｍＴとし、軸方向の端部Ａ−端部Ｂ間の磁力が、端部Ａから端部Ｂにいくに従って直線的に変化するように構成した磁石を用いた。ＤＧは、０．４ｍｍである。
【０１１２】
〔実施例５〕
非磁性部材のみから構成されたドクターブレード１０１’を備えた現像装置４’において、現像ローラ１１内の汲み上げ極であるＮ２極として、軸方向の磁力分布が、図１０の△印に示すように、送り方向３５上流側の端部Ａ付近の磁力を５８ｍＴ、送り方向３５下流側の端部Ｂ付近の磁力を５４ｍＴとし、軸方向の端部Ａ−端部Ｂ間の磁力が、端部Ａから下流側端部Ｂにいくに従って直線的に変化するように構成した磁石を用いた。なお、ＤＧは、０．４ｍｍである。
【０１１３】
〔実施例６〕
磁性部材を用いたドクターブレード１０１を備えた現像装置４において、現像ローラ１１内の規制極であるＳ１極として、軸方向の磁力分布が、図９の×印に示すように、送り方向３５上流側の端部Ａ付近の磁力を７２ｍＴ、送り方向３５下流側の端部Ｂ付近の磁力を８４ｍＴとし、軸方向の端部Ａ−端部Ｂ間の磁力が、端部Ａから端部Ｂにいくに従って直線的に変化するように構成した磁石を用いた。ＤＧは、０．６ｍｍである。
【０１１４】
〔実施例７〕
磁性部材を用いたドクターブレード１０１を備えた現像装置４において、現像ローラ１１内の汲み上げ極であるＮ２極として、軸方向の磁力分布が、図１０の×印に示すように、送り方向３５上流側の端部Ａ付近の磁力を６０ｍＴ、送り方向３５下流側の端部Ｂ付近の磁力を５２ｍＴとし、軸方向の端部Ａ−端部Ｂ間の磁力が、端部Ａから下流側端部Ｂにいくに従って直線的に変化するように構成した磁石を用いた。ＤＧは、０．６ｍｍである。
【０１１５】
〔比較例１〕
磁性部材を用いたドクターブレード１０１を備えた現像装置４において、現像ローラ１１内の規制極であるＳ１極として、軸方向の磁力分布が、図９の□印に示すように、軸方向に均一に７８ｍＴに構成した磁石を用いた。
【０１１６】
また、現像ローラ１１内の汲み上げ極であるＮ２極として、軸方向の磁力分布が、図１０の□印に示すように、均一に５６ｍＴに構成した磁石を用いた。ＤＧは、０．６ｍｍである。
【０１１７】
〔比較例２〕
非磁性部材のみから構成されたドクターブレード１０１’を備えた現像装置４’において、比較例１と同様の現像ローラ１１を用いた。ＤＧは、０．４ｍｍである。
【０１１８】
図１１に、上記実施例及び比較例で測定した結果を示す。
【０１１９】
比較例１及び２で示すように、Ｓ１極及び、Ｎ２極の軸方向の磁力分布を均一にしたときは、軸方向の搬送量のバランスが悪い。また、端部Ａと端部Ｂに位置する場所で印字された箇所の濃度差が０．２以上存在し、目視でも濃度差があるのが明らかであった。
【０１２０】
これに対して、実施例１、実施例６に示すように、Ｓ１極の磁力分布を端部Ａよりも端部Ｂを強くした分布、すなわち軸方向の磁力分布をＡ＜Ｂにした場合、軸方向での搬送量のバランスが安定し、また、両端部の濃度差が０．１以下になり、良好な画像が得られた。
【０１２１】
同様に、実施例２、実施例７に示すように、Ｎ２極の磁力分布を端部Ａよりも端部Ｂを弱くした分布、すなわち軸方向の磁力分布をＡ＞Ｂにした場合、軸方向での搬送量のバランスが安定し、両端部の濃度差が０．１以下になり、良好な画像が得られた。
【０１２２】
また、実施例３に示すように、Ｓ１極の軸方向の磁力分布をＡ＜Ｂ、Ｎ２極の軸方向の磁力分布をＡ＞Ｂとしたときは、さらに軸方向での搬送量のバランスが安定し、両端部の濃度差がほとんどなく良好な画像が得られた。
【０１２３】
実施例４、５では、軸方向の搬送量のバランスは比較例１に比べ安定しており、両端部の濃度差が０．１から０．２の範囲であったが、目視では、合格レベルであった。
【０１２４】
ところで、ここで上げた各実施例においては、Ｓ１極の磁力分布が端部Ａから端部Ｂに向かって直線的に磁力が大きくなっていたが、端部Ａ付近の磁力が他の位置に比べ低く、上記課題を改善できるのであればこのような磁力分布に限定しない。
【０１２５】
例えば、第１攪拌搬送部材２８の回転速度、形状等によっては、現像領域槽２３内の現像剤の状態が、Ａ付近が現像剤の密度及び嵩が小さく、中央部に向かうにつれて密度も嵩も大きくなり、中央部から端部Ｂ付近ではほぼ均一になっている場合がある。このような場合は、図１２の△印に示すように端部Ａから中央部まで磁力が徐々に大きくなり、中央部から端部Ｂまでは磁力分布が均一になっていても良い。
【０１２６】
また別の例として、現像領域槽２３内の現像剤の状態に合わせて、図１２の×印に示すように、階段状に、磁力分布が端部Ａから端部Ｂに大きくなってもよい。
【０１２７】
同様の考え方で、ここで上げた各実施例においては、Ｎ２極の磁力分布は、端部Ａから端部Ｂへ直線的に小さくなっていたが、端部Ａ付近の磁力が他の位置に比べ高く、上記課題を改善できるのであればこのような磁力分布に限定しない。
【０１２８】
例えば、上述のように、現像領域槽２３内の現像剤の状態が、Ａ付近が現像剤の密度及び嵩が小さく、中央部に向かうにつれて密度も嵩も大きくなり、中央部から端部Ｂ付近ではほぼ均一になっている場合は、図１３の△印に示すように端部Ａから中央部まで磁力が徐々に小さくなり、中央部から端部Ｂまでは磁力分布が均一になっていても良い。
【０１２９】
別の例として、現像領域槽２３内の現像剤の状態に合わせて、図１３の×印に示すように階段状に、磁力分布が端部Ａから端部Ｂに小さくなってもよい。
【０１３０】
また、上述した説明においては、現像剤の密度が低い場合は嵩も低く、密度が高い場合は嵩も高いといった一般的な状態について述べたが、仮に、現像剤の密度は低いのに嵩は高いといった状態であった場合は、密度よりも嵩を優先させて、現像剤の嵩に応じて、磁力分布を設定すればよい。
【０１３１】
さらに、以上述べた本発明は、換言すれば、以下のように表現することもできる。即ち、本発明の現像装置は、現像剤を担持し、回転して、像担持体と対向した現像領域へ搬送する現像剤担持体と、現像剤担持体内に非回転に配設された磁石と、現像剤担持体に対し先端と間隙を開けて配置された現像剤規制部材と、現像剤担持体下に平行に配置され、現像剤担持体に現像剤を供給するとともに、現像剤を攪拌搬送する第１撹拌搬送部材と、現像剤担持体に平行に配置され、トナー補給口から補給されたトナーを現像剤と混合し、第１攪拌搬送部材に現像剤を供給するとともに、撹拌搬送する第２撹拌搬送部材を備え、前記現像領域において、現像剤担持体上の現像剤により像担持体上の静電潜像を現像する現像装置において、前記現像剤規制部材に対向した位置に配置された磁石（Ｓ１）の軸方向の磁力分布と第一攪拌搬送部材によって現像剤担持体下の現像剤が現像槽内を軸方向に端部Ａから端部Ｂに移動する方向との関係において、前記磁石Ｓ１の軸方向の磁力分布は、軸方向に磁力の傾きを有し、端部Ａの磁力はその最高値よりも低いことを特徴とする。
【０１３２】
或いは、本発明の現像装置は、現像剤を担持し、回転して、像担持体と対向した現像領域へ搬送する現像剤担持体と、現像剤担持体内に非回転に配設された磁石と、現像剤担持体に対し先端と間隙を開けて配置された現像剤規制部材と、現像剤担持体下に平行に配置され、現像剤担持体に現像剤を供給するとともに、現像剤を攪拌搬送する第１撹拌搬送部材と、現像剤担持体に平行に配置され、トナー補給口から補給されたトナーを現像剤と混合し、第１攪拌搬送部材に現像剤を供給するとともに、撹拌搬送する第２撹拌搬送部材を備え、前記現像領域において、現像剤担持体上の現像剤により像担持体上の静電潜像を現像する現像装置において、前記現像剤を汲み上げる位置に配置された磁石（Ｎ２）の軸方向の磁力分布と第一攪拌搬送部材によって現像剤担持体下の現像剤が現像槽内を軸方向に端部Ａから端部Ｂに移動する方向との関係において、前記磁石Ｎ２の軸方向の磁力分布は、軸方向に磁力の傾きを有し、端部Ａの磁力はその最低値よりも高いことを特徴とする。
【０１３３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３４】
また、本明細書で示した数値範囲以外であっても、本発明の趣旨に反しない合理的な範囲であれば、本発明に含まれることはいうまでもない。
【図面の簡単な説明】
【０１３５】
【図１】本発明の実施の一形態を示すものであり、画像形成装置に搭載される現像装置の要部の一構成例を示す図面である。
【図２】上記画像形成装置の要部の一構成例を示す図面である。
【図３】上記現像装置における現像槽の内部の構成を示す図面である。
【図４】上記現像装置に採用される、現像ローラにおける規制極の磁力と、第１攪拌搬送部材の現像剤搬送方向との関係を示す図面である。
【図５】上記現像装置に採用される、現像ローラにおける汲み上げ極の磁力と、第１攪拌搬送部材の現像剤搬送方向との関係を示す図面である。
【図６】上記現像装置に採用される、現像ローラにおける規制極及び汲み上げ極の各磁力と、第１攪拌搬送部材の現像剤搬送方向との各関係を示す図面である。
【図７】上記画像形成装置に搭載される現像装置の要部の他の構成例を示す図面である。
【図８】上記現像装置において、現像剤規制部材を磁性部材より構成した場合と、非磁性部材のみより構成した場合との、搬送量とＤＧとの関係を示すグラフである。
【図９】実施例及び比較例における、上記現像ローラの規制極の磁力分布を示すグラフである。
【図１０】実施例及び比較例における、上記現像ローラの汲み上げ極の磁力分布を示すグラフである。
【図１１】上記実施例及び比較例で測定した結果を示す図面である。
【図１２】上記現像ローラの規制極の磁力分布の他の例を示すグラフである。
【図１３】上記現像ローラの汲み上げ極の磁力分布の他の例を示すグラフである。
【符号の説明】
【０１３６】
２    感光体
４    現像装置
４’  現像装置
１１  現像ローラ（現像剤担持体）
２１  磁石部材
２２  回転スリーブ
１２  現像槽
２８  第１攪拌搬送部材
２９  第２攪拌搬送部材
Ｓ１  規制極
Ｎ２  汲み上げ極
Ａ    端部（上流側端部）
Ｂ    端部（下流側端部）
【図１】
2008281954.tif 000003
【図２】
2008281954.tif 000004
【図３】
2008281954.tif 000005
【図４】
2008281954.tif 000006
【図５】
2008281954.tif 000007
【図６】
2008281954.tif 000008
【図７】
2008281954.tif 000009
【図８】
2008281954.tif 000010
【図９】
2008281954.tif 000011
【図１０】
2008281954.tif 000012
【図１１】
2008281954.tif 000013
【図１２】
2008281954.tif 000014
【図１３】
2008281954.tif 000015